(57)【要約】      （修正有）【課題】赤色または青色の輝度に関する寄与度は緑色のそれに比べて低いので、材料費を削減しつつも見た目の輝度の滑らかさを効率よく維持することが可能である表示装置を提供する。【解決手段】映像信号に、注目画素より過去に生じた再現誤差を加算して拡散出力信号を得て、拡散出力信号の下位ビットを用いて出力映像信号の輝度の滑らかな変化を得る誤差拡散装置において、赤色または青色映像信号の再現誤差信号を遅延させる遅延手段のうち少なくとも１つの遅延手段のビット数を緑色の遅延手段のビット数より小さくして材料費を削減する。【選択図】図３
2007133206.tif 000002
【特許請求の範囲】
【請求項１】
ｎビットの第１の映像信号に、注目画素より過去に生じた再現誤差を加算して拡散出力信号を得て前記第１の映像信号より少ないビット数ｍで第２の映像信号を出力するようにし、前記再現誤差信号として前記拡散出力信号の下位（ｎ−ｍ）ビットを用いる誤差拡散装置において、
赤色または青色映像信号の前記再現誤差信号を遅延させる複数の遅延手段のうち少なくとも１つの遅延手段のビット数が前記緑色再現誤差信号の対応する遅延手段のビット数より小さいことを特徴とする誤差拡散装置。
【請求項２】
前記青色再現誤差信号の遅延手段は、複数の遅延手段のうち少なくとも１つの遅延手段のビット数が前記赤色再現誤差信号の対応する遅延手段のビット数より小さいことを特徴とする請求項１記載の誤差拡散装置。
【請求項３】
ｎビットの第１の映像信号に、注目画素より過去に生じた再現誤差を加算して拡散出力信号を得て前記第１の映像信号より少ないビット数ｍで第２の映像信号を出力するようにし、前記再現誤差として前記拡散出力信号の下位（ｎ−ｍ）ビットを用いる誤差拡散装置において、
前記誤差拡散装置により得られた映像信号を表示する表示パネルとを備えたことを特徴とする請求項１または２記載の誤差拡散装置。
【請求項４】
入力されたｎビットの第１映像信号をｍビット（ｎ＞ｍ）の第２映像信号として出力する誤差拡散装置であって、
ｎビットの映像信号からｎ−ｍビットの第１の再現誤差信号を分離する誤差分離器と、前記誤差分離器から分離された前記第１の再現誤差信号を格納する画素単位遅延手段と、前記画素単位遅延手段に格納された前記第１の再現誤差信号に所定の係数を乗算した値とｎビットの第１映像信号とを加算する誤差加算器と、前記誤差加算器から出力された拡散出力信号からｍビットの第２映像信号を分離する誤差分離器とからなる第１誤差拡散手段と、
ｎビットの映像信号からｎ−ｐビット（ｐ＞ｍ）の第２の再現誤差信号を分離する誤差分離器と、前記誤差分離器から分離された前記第２の再現誤差信号を格納する画素単位遅延手段と、前記画素単位遅延手段に格納された前記第２の再現誤差信号に所定の係数を乗算した値とｎビットの第１映像信号とを加算する誤差加算器と、前記誤差加算器から出力された拡散出力信号からｍビットの第２映像信号を分離する誤差分離器とからなる第２誤差拡散手段とを備え、
前記第１誤差拡散手段は緑色の映像信号の誤差拡散を行い、前記第２誤差拡散手段は青色又は赤色に関する映像信号の誤差拡散を行うことを特徴とする誤差拡散装置。
【請求項５】
前記第１誤差拡散手段は、さらに、前記誤差分離器から分離された前記第１の再現誤差信号をライン単位で格納するライン単位遅延手段を備え、前記誤差加算器は、前記画素単位遅延手段に格納された前記第１の再現誤差信号に所定の係数を乗算した値と前記ライン単位遅延に格納された前記第１の再現誤差信号に所定の係数を乗算した値とｎビットの第１映像信号とを加算する誤差加算器とを備え、
前記第２誤差拡散手段は、さらに、前記誤差分離器から分離された前記第２の再現誤差信号をライン単位で格納するライン単位遅延手段を備え、前記誤差加算器は、前記画素単位遅延手段に格納された前記第２の再現誤差信号に所定の係数を乗算した値と前記ライン単位遅延に格納された前記第２の再現誤差信号に所定の係数を乗算した値とｎビットの第１映像信号とを加算する誤差加算器とを備えたことを特徴とする請求項４記載の誤差拡散装置。
【請求項６】
入力されたｎビットの第１映像信号をｍビット（ｎ＞ｍ）の第２映像信号として出力する誤差拡散装置であって、
ｎビットの映像信号からｎ−ｍビットの第１の再現誤差信号を分離する誤差分離器と、前記誤差分離器から分離された前記第１の再現誤差信号を格納する画素単位遅延手段と、前記誤差分離器から分離された前記第１の再現誤差信号をフィールド単位で格納するフィールド単位遅延手段と、前記画素単位遅延手段に格納された前記第１の再現誤差信号に所定の係数を乗算した値と前記フィールド単位遅延に格納された前記第１の再現誤差信号に所定の係数を乗算した値とｎビットの第１映像信号とを加算する誤差加算器と、前記誤差加算器から出力された拡散出力信号からｍビットの第２映像信号を分離する誤差分離器とからなる第１誤差拡散手段と、
ｎビットの映像信号からｎ−ｍビットの第２の再現誤差信号を分離する誤差分離器と、前記誤差分離器から分離された前記第２の再現誤差信号を格納する画素単位遅延手段と、前記画素単位遅延手段に格納された前記第２の再現誤差信号に所定の係数を乗算した値とｎビットの第１映像信号とを加算する誤差加算器と、前記誤差加算器から出力された拡散出力信号からｍビットの第２映像信号を分離する誤差分離器とからなる第２誤差拡散手段とを備え、
前記第１誤差拡散手段は緑色の映像信号の誤差拡散を行い、前記第２誤差拡散手段は青色又は赤色に関する映像信号の誤差拡散を行うことを特徴とする誤差拡散装置。
【請求項７】
前記誤差拡散装置は、さらに、ｎビットの映像信号からｎ−ｑビット（ｑ＞ｐ）の第３再現誤差信号を分離する誤差分離器と、前記誤差分離器から分離された前記第３再現誤差信号を格納する画素単位遅延手段と、前記画素単位遅延手段に格納された前記第３再現誤差信号に所定の係数を乗算した値とｎビットの第１映像信号とを加算する誤差加算器と、前記誤差加算器から出力された拡散出力信号からｍビットの第３映像信号を分離する誤差分離器とからなる第３誤差拡散手段とを備え、前記第２誤差拡散手段は赤色の映像信号の誤差拡散を行い、前記代３誤差拡散手段は青色の映像信号の誤差拡散を行うことを特徴とする請求項４から６いずれか記載の誤差拡散装置。
【発明の詳細な説明】
【技術分野】
【０００１】
本発明は、ｎビットの映像信号をｍ（ｍ＜ｎ）ビットの映像信号に変換する誤差拡散装置、およびそれを用いた表示装置に関する。
【背景技術】
【０００２】
近年、薄型、軽量の表示装置としてプラズマ・ディスプレイ・パネル（以下ＰＤＰと表記）が注目されている。ＰＤＰ等のディジタル方式の表示装置においてはディジタル化された映像信号に応じて表示パネルの各画素を１フィールド内で複数回発光させ、発光回数制御で階調表示が行われているので、１フィールド内で発光させることの出来る最大回数によって表示可能な映像信号のビット数が制限される。そのため、表示可能な映像信号のビット数を超えた映像信号が表示装置に入力された場合には表示される階調に誤差が発生する。
【０００３】
例えば、８ビットの映像信号を処理可能な表示装置に１０ビットの映像信号が入力された場合、２ビット分の誤差が生じて画面に表示される映像の階調再現性が悪くなるという問題があった。
【０００４】
そこで、このような問題を解決するために、従来技術として、特許文献１が提案された。その従来技術の構成を、図７に示す。この図７の誤差拡散処理方法は、ｍビットの映像信号に、注目画素より過去に生じた再現誤差を加算して拡散出力信号を得て前記注目画素の映像入力信号より少ないビット数で出力するようにした擬似中間調表示を行う方法において、前記再現誤差として前記拡散後のデータの下位ビットを用いるようにしている。これにより誤差拡散後の映像は滑らかな変化をするようになる。
【特許文献１】特開平７−１０５３６３号公報
【発明の開示】
【発明が解決しようとする課題】
【０００５】
しかしながらこの先行技術においては注目画素より過去に生じた再現誤差を取り扱うビット数を赤（以下Ｒと表記）、緑（以下Ｇと表記）ならびに青（以下Ｂと表記）成分にそれぞれ（ｍ−ｎ）ビットずつ配分しており、このような配分は人間の視覚特性の考慮がなされておらず、Ｇ成分が少なく表示品位不足であり、またＢ成分が多く情報量が無駄使いされる結果となっていた。
【０００６】
本発明の目的は、材料費の上昇に結びつく遅延手段の容量を極力削減しながら見た目の輝度の滑らかさを効率良く維持できる誤差拡散装置ならびに表示装置を提供することである。
【課題を解決するための手段】
【０００７】
本発明の表示装置は、ｎビットの第１の映像信号に、注目画素より過去に生じた再現誤差を加算して拡散出力信号を得て前記第１の映像信号より少ないビット数ｍで第２の映像信号を出力するようにし、前記再現誤差として前記拡散出力信号の下位（ｎ−ｍ）ビットを用いる誤差拡散装置において、赤色または青色映像信号の前記再現誤差を遅延させる複数の遅延手段のうち少なくとも１つの遅延手段のビット数が前記緑色映像信号の対応する遅延手段のビット数より小さいことを特徴とする。
【０００８】
上記の構成によれば、ＰＤＰなどの表示装置に表示可能なビット数を超える映像信号が入力された場合に、前記再現誤差として前記拡散出力信号の下位ビットを用いて出力映像信号の輝度の滑らかな変化を得る誤差拡散装置において、映像の階調再現性を維持するとともに、輝度に対する人の視覚特性を考慮して、赤色または青色映像信号の前記再現誤差を遅延させる複数の遅延手段のうち少なくとも１つの遅延手段のビット数が前記緑色映像信号の対応する遅延手段のビット数より小さいので、遅延手段の容量がより少なくなっており材料費がより安く抑えられている。また、赤色または青色の輝度に関する寄与度は緑色のそれに比べて低いので、上記の構成によれば材料費を削減しつつも見た目の輝度の滑らかさを効率よく維持することが可能である。
【０００９】
更にまた、本発明の表示装置では、前記青色映像信号の遅延手段は、複数の遅延手段のうち少なくとも１つの遅延手段のビット数が前記赤色映像信号の対応する遅延手段のビット数より小さいことを特徴とする。
【００１０】
上記構成によれば、映像の階調再現性を維持するとともに、前記青色映像信号の複数の遅延手段のうち少なくとも１つの遅延手段のビット数が前記赤色映像信号の対応する遅延手段のビット数より小さいので、遅延手段の容量が更に少なくなっており材料費が更に安く抑えられている。また、青色の輝度に関する寄与度は緑色ならびに赤色のそれに比べて低いので、上記の構成によれば材料費を更に削減しつつも見た目の輝度の滑らかさを効率よく維持することが可能である。
【発明の効果】
【００１１】
本発明の表示装置は、以上のように、ＰＤＰなどの発光回数制御あるいはパルス幅制御などにより階調を表示する表示装置に好適に実施され、表示装置に表示可能なビット数を超える映像信号が入力された場合に、注目画素より過去に生じた再現誤差を加算して拡散出力信号を得て、前記拡散出力信号の下位ビットを用いて出力映像信号の輝度の滑らかな変化を得る誤差拡散装置において、赤色または青色色映像信号の前記再現誤差を遅延させる複数の遅延手段のうち少なくとも１つの遅延手段のビット数が前記緑色再現誤差信号の対応する遅延手段のビット数より小さい。
【００１２】
それゆえ遅延手段の容量がより少なくなっており材料費がより安く抑えられていると同時に赤色または青色の輝度に関する寄与度は緑色のそれに比べて低いので、材料費を削減しつつも見た目の輝度の滑らかさを効率よく維持することが可能である。
【発明を実施するための最良の形態】
【００１３】
以下の実施の形態では、本発明を表示装置の一例としてＰＤＰに適用した場合を説明する。
【００１４】
図１は、本発明の実施の一形態である表示装置の電気的構成を示すブロック図である。
【００１５】
図１の表示装置は誤差拡散装置１００、サブフィールド変換器２００、サブフィールドパルス発生器３００、ＰＤＰ４００、データドライバ５００、走査ドライバ６００ならびに維持ドライバ７００を含む。
【００１６】
誤差拡散装置１００にはＲ映像信号ＶＲ、Ｇ映像信号ＶＧ、Ｂ映像信号ＶＢが入力される。また誤差拡散装置１００、サブフィールド変換器２００ならびにサブフィールドパルス発生器３００には水平同期信号Ｈならびに垂直同期信号Ｖが入力される。
【００１７】
誤差拡散装置１００は入力されたｎビットの映像信号ＶＲ，ＶＧ，ＶＢをｍビットのＲ映像信号ＶＶＲ、Ｇ映像信号ＶＶＧならびにＢ映像信号ＶＶＢにそれぞれ変換する。ｎおよびｍは正の整数でｎ＞ｍである。誤差拡散装置１００により得られたｍビットの映像信号ＶＶＲ、ＶＶＧ、ＶＶＢはサブフィールド変換器２００に対して出力される。
【００１８】
サブフィールド変換器２００は、各画素の映像データを複数のサブフィールドに対応するサブフィールドデータＳＤに変換し、サブフィールドデータＳＤをデータドライバ５００に対して出力する。
【００１９】
サブフィールドパルス発生器３００は水平同期信号Ｈならびに垂直同期信号Ｖを基準として走査タイミング信号ＳＣと維持タイミング信号ＳＵを発生する。サブフィールドパルス発生器３００は走査タイミング信号ＳＣを走査ドライバ６００と維持タイミング信号ＳＵを維持ドライバ７００に対して出力する。
【００２０】
ＰＤＰ４００は、複数のデータ電極５０１、複数の走査電極６０１ならびに複数の維持電極７０１を含む。複数のデータ電極５０１は画面の垂直方向に配列され、複数の走査電極６０１ならびに複数の維持電極７０１は画面の水平方向に配列されている。複数の維持電極７０１は互いに共通に接続されている。データ電極５０１、走査電極６０１ならびに維持電極７０１の各交点に放電セルが形成され、各放電セルが画面上の画素を構成する。
【００２１】
データドライバ５００は、サブフィールド変換器２００からのサブフィールドデータＳＤに基づいて書き込みパルスを複数のデータ電極５０１に対して出力する。走査ドライバ６００はサブフィールドパルス発生器３００から与えられる走査タイミング信号ＳＣに基づいて走査電極６０１を駆動する。維持ドライバ７００はサブフィールドパルス発生器３００から与えられる維持タイミング信号ＳＵに基づいて維持電極７０１を駆動する。
【００２２】
図２は図１に示す表示装置に適用されるＡＤＳ方式（アドレス・表示期間分離方式）を説明するための図である。なお、図２では駆動パルスの立下り時に放電を行う負極性のパルスの例を示しているが、立ち上がり時に放電を行う正極性のパルスの場合でも基本的な動作は以下と同様である。
【００２３】
ＡＤＳ方式では１フィールドを複数のサブフィールドに時間的に分割する。例えば、１フィールドを４つのサブフィールドＳＦ１〜ＳＦ４に分割する。各サブフィールドＳＦ１〜ＳＦ４は初期化期間Ｒ１〜Ｒ４、書き込み期間ＡＤ１〜ＡＤ４、維持期間ＳＵＳ１〜ＳＵＳ４ならびに消去期間ＲＳ１〜ＲＳ４で構成される。初期化期間Ｒ１〜Ｒ４においては各サブフィールドの初期化処理が行われ、書き込み期間ＡＤ１〜ＡＤ４においては点灯される放電セルを選択するための書き込み放電が行われ、維持期間ＳＵＳ１〜ＳＵＳ４においては表示のための維持放電が行われる。
【００２４】
初期化期間Ｒ１〜Ｒ４においては維持電極７０１に単一の初期化パルスが印加され、走査電極６０１にもそれぞれ単一の初期化パルスが印加され、これにより予備放電が行われる。
【００２５】
書き込み期間ＡＤ１〜ＡＤ４においては走査電極６０１が順次走査され、データ電極５０１から書き込みパルスを受けた放電セルだけに所定の書き込み処理が行われ、これにより書き込み放電が行われる。
【００２６】
維持期間ＳＵＳ１〜ＳＵＳ４においては各サブフィールドＳＦ１〜ＳＦ４に対して予め重み付けられた値に応じた維持パルスが維持電極７０１ならびに走査電極６０１に印加される。例えばサブフィールドＳＦ１では維持電極７０１に維持パルス１回が印加され、走査電極６０１に維持パルスが１回印加され、書き込み期間ＡＤ１において選択された放電セルが２回維持放電を行う。また、サブフィールドＳＦ２では維持電極７０１に維持パルスが２回印加され、走査電極６０１に維持パルスが２回印加され、書き込み期間ＡＤ２において選択された放電セルが４回放電を行う。
【００２７】
上記のように各サブフィールドＳＦ１〜ＳＦ４では維持電極７０１ならびに走査電極６０１に１回、２回、４回、８回ずつ維持パルスが印加され、パルス数に応じた明るさで放電セルが発光する。
【００２８】
以下、本発明の実施の形態に係わる誤差拡散装置１００について図面を参照しながら説明する。
【００２９】
図３は本実施の形態に係わる誤差拡散装置１００の構成を示す図である。図３に示すように誤差拡散装置１００は、誤差加算器１Ｒ、１Ｇ、１Ｂ、誤差分離器４１Ｒ、４１Ｇ、４１Ｂ、画素単位遅延手段３１Ｒ、３１Ｇ、３１Ｂ、ライン単位遅延手段３２Ｒ、３２Ｇ、３２Ｂならびに乗算器２１Ｒ、２２Ｒ、２１Ｇ、２２Ｇ、２１Ｂ、２２Ｂを備える。
【００３０】
ｎビットの映像信号ＶＲ、ＶＧ、ＶＢが誤差加算器１Ｒ、１Ｇ、１Ｂにそれぞれ入力され、誤差加算器１Ｒ、１Ｇ、１Ｂからｎビットの拡散出力信号ＶＥＲ、ＶＥＧ、ＶＥＢが誤差分離器４１Ｒ、４１Ｇ、４１Ｂに対してそれぞれ出力される。誤差分離器４１Ｒ、４１Ｇ、４１ＢはｍビットのＲ映像信号ＶＶＲ、Ｇ映像信号ＶＶＧ、Ｂ映像信号ＶＶＢを誤差拡散装置１００の出力としてサブフィールド変換器２００に対してそれぞれ出力すると同時に、再現誤差信号ＥＲ、ＥＧ、ＥＢを画素単位遅延手段３１Ｒ、３１Ｇ、３１Ｂならびにライン単位遅延手段３２Ｒ、３２Ｇ、３２Ｂに対して出力する。誤差分離器４１Ｒ、４１Ｇ、４１Ｂの詳細については後述する。
【００３１】
画素単位遅延手段３１Ｒ、３１Ｇ、３１Ｂの出力は乗算器２１Ｒ、２１Ｇ、２１Ｂにそれぞれ接続され、ライン単位遅延手段３２Ｒ、３２Ｇ、３２Ｂの出力は乗算器２２Ｒ、２２Ｇ、２２Ｂにそれぞれ接続される。
【００３２】
乗算器２１Ｒは画素単位遅延手段３１Ｒの出力に対して所定の係数ＫＤｒを乗算して加算器１Ｒに対して出力し、乗算器２１Ｇは画素単位遅延手段３１Ｇの出力に対して所定の係数ＫＤｇを乗算して加算器１Ｇに対して出力し、乗算器２１Ｂは画素単位遅延手段３１Ｂの出力に対して所定の係数ＫＤｂを乗算して加算器１Ｂに対して出力する。
【００３３】
乗算器２２Ｒはライン単位遅延手段３２Ｒの出力に対して所定の係数ＫＬｒを乗算して加算器１Ｒに対して出力し、乗算器２２Ｇはライン単位遅延手段３２Ｇの出力に対して所定の係数ＫＬｇを乗算して加算器１Ｇに対して出力し、乗算器２２Ｂはライン単位遅延手段３２Ｂの出力に対して所定の係数ＫＬｂを乗算して加算器１Ｂに対して出力する。
【００３４】
誤差加算器１Ｒは、映像信号ＶＲ、乗算器２１Ｒの出力ならびに乗算器２２Ｒの出力を加算して拡散出力信号ＶＥＲを出力する。誤差加算器１Ｇは、映像信号ＶＧ、乗算器２１Ｇの出力ならびに乗算器２２Ｇの出力を加算して拡散出力信号ＶＥＧを出力する。誤差加算器１Ｂは、映像信号ＶＢ、乗算器２１Ｂの出力ならびに乗算器２２Ｂの出力を加算して拡散出力信号ＶＥＢを出力する。
【００３５】
以下に誤差分離器４１Ｒ、４１Ｇならびに４１Ｂについて説明する。
【００３６】
誤差分離器４１Ｇは入力されたｎビットの拡散出力信号ＶＥＧの下位ビット側の（ｎ−ｍ）ビットを再現誤差信号ＥＧとして出力する。一方、誤差分離器４１Ｒならびに４１Ｂは（ｎ−ｍ−１）ビットの再現誤差信号を出力する。
【００３７】
（ｎ−ｍ−１）ビットの信号を出力する誤差分離器４１Ｒならびに４１Ｂは、入力された拡散出力信号ＶＥＲならびにＶＥＢの下位ビット側の（ｎ−ｍ）ビットから最下位ビットを捨てた（ｎ−ｍ−１）ビットを再現誤差信号ＥＲならびにＥＢとしてそれぞれ出力する。
【００３８】
また、（ｎ−ｍ−１）ビットの再現誤差信号を出力する誤差分離器４１Ｒならびに４１Ｂは、入力された拡散出力信号ＶＥＲならびにＶＥＢの下位ビット側の（ｎ−ｍ）ビットの最下位ビットを四捨五入して得た（ｎ−ｍ−１）ビットを再現誤差信号ＥＲならびにＥＢとしてそれぞれ出力しても良い。四捨五入回路の説明は図５を用いた実施例の中で後述する。
【００３９】
以上のように、ＲとＢの再現誤差信号ＥＲならびにＥＢのビット数がＧの再現誤差信号ＥＧのビット数より小さいので、Ｒの画素単位遅延手段３１Ｒ、ライン単位遅延手段３２Ｒ、Ｂの画素単位遅延手段３１Ｂ、ライン単位遅延手段３２Ｂのビット数がＧの画素単位遅延手段３１Ｇ、ライン単位遅延手段３２Ｇより小さいのが本実施の形態の特徴である。すなわちこれにより遅延手段の容量が少なくなっており材料費がより安く抑えられる。
【００４０】
ここで、輝度信号Ｙに対して一般的に用いられる変換式Ｙ＝０．３０ＶＲ＋０．５９ＶＧ＋０．１１ＶＢから輝度に対するＲ、Ｇ、Ｂの寄与度の比はＲ：Ｇ：Ｂ＝０．３０：０．５９：０．１１であるので、材料費を削減しつつも見た目の輝度の滑らかさを効率よく維持することが可能であることがわかる。
【００４１】
図４は本実施の形態に係わる誤差拡散装置１００の他の構成を示すブロック図である。
【００４２】
図４に示す誤差拡散装置１００が、図３に示した誤差拡散装置１００と異なる点は、誤差分離器４１Ｒならびに４１Ｂの出力する再現誤差信号ＥＲならびにＥＢのビット数が（ｎ−ｍ）ビットである点、画素単位遅延手段３１Ｒ、ライン単位遅延手段３２Ｒ、画素単位遅延手段３１Ｂ、ライン単位遅延手段３２Ｂのビット数が（ｎ−ｍ）ビットである点、誤差分離器４１Ｇの出力する信号に１ビットの再現誤差信号ＥＦＧが追加されている点、フィールド単位遅延手段３３Ｇが追加されている点、乗算器２３Ｇが追加されている点である。
【００４３】
追加された再現誤差信号ＥＦＧはフィールド単位遅延手段３３Ｇに入力され、フィールド単位遅延手段３３Ｇの出力は乗算器２３Ｇに接続され、乗算器２３Ｇの出力は誤差加算器１Ｇに入力される。
【００４４】
乗算器２３Ｇはフィールド単位遅延手段３３Ｇの出力に対して所定の係数ＫＦｇを乗算して加算器１Ｇに対して出力する。
【００４５】
誤差分離器４１Ｒは入力されたｎビットの拡散出力信号ＶＥＲの下位ビット側の（ｎ−ｍ）ビットを再現誤差信号ＥＲとして出力する。誤差分離器４１Ｂは入力されたｎビットの拡散出力信号ＶＥＢの下位ビット側の（ｎ−ｍ）ビットを再現誤差信号ＥＢとして出力する。
【００４６】
（ｎ−ｍ）ビットの再現誤差信号ＥＧと同時に１ビットの再現誤差信号ＥＦＧを出力する誤差分離器４１Ｇは、入力されたｎビットの拡散出力信号ＶＥＧの下位ビット側（ｎ−ｍ）ビットの信号の一部を再現誤差信号ＥＦＧとして出力し、残りの部分を再現誤差信号ＥＧとして出力する。
【００４７】
この下位ビット側（ｎ−ｍ）の、再現誤差信号ＥＦＧならびにＥＧへの分離の方法は、例えば再現誤差信号ＥＦＧとＥＧのビット数を考慮した比例配分で決定する。あるいは再現誤差信号ＥＦＧとＥＧのビット数を考慮して一定の閾値を設定し、この閾値を超えた量を再現誤差信号ＥＦＧとし、残りの量を再現誤差信号ＥＧとしても良い。
【００４８】
以上のように、Ｒ、Ｂのフィールド単位遅延手段のビット数（本実施の形態では０ビット）がＧのフィールド単位遅延手段３３Ｇより小さいのが本実施の形態の特徴である。すなわちこれにより遅延手段の容量が少なくなっており材料費がより安く抑えられる。
【００４９】
ここで、再現誤差信号をフィールド単位で遅延させることの意味を説明する。
【００５０】
表示の再現誤差を画素単位あるいはライン単位で遅延させて入力映像信号に加算することは、過去の再現誤差として周辺画素の再現誤差を扱うことに対応する。
【００５１】
再現誤差をフィールド単位で遅延させることは過去の再現誤差として１フィード前に（あるいはそれ以上）注目画素において発生した再現誤差を注目画素に対して加算することであり、すなわち再現誤差を注目画素自身の信号レベルにフィードバックして解決するので、注目画素の輝度が本来あるべきレベルに制御されやすく、過去の再現誤差として周辺画素の再現誤差のみを扱う場合に比較してより好ましい。
【００５２】
本実施の形態においても、材料費を削減しつつも見た目の輝度の滑らかさを効率よく維持することが可能であることがわかる。
【００５３】
図５は本実施の形態に係わる誤差拡散装置１００の更に別の構成を示すブロック図である。
【００５４】
図５に示す誤差拡散装置１００が、図３に示した誤差拡散装置１００と異なる点は、誤差分離器４１Ｂの出力する再現誤差信号ＥＢのビット数が（ｎ−ｍ−２）ビットである点、画素単位遅延手段３１Ｂ、ライン単位遅延手段３２Ｂのビット数が（ｎ−ｍ−２）ビットである点である。
【００５５】
（ｎ−ｍ−２）ビットの再現誤差信号を出力する誤差分離器４１Ｂは、入力された拡散出力信号ＶＥＢの下位ビット側の（ｎ−ｍ）ビットから最下位ビット側から２ビットを捨てた（ｎ−ｍ−２）ビットを再現誤差信号ＥＢとして出力する。
【００５６】
また、（ｎ−ｍ−２）ビットの信号を出力する誤差分離器４１Ｂは、入力された拡散出力信号ＶＥＢの下位ビット側の（ｎ−ｍ）ビットの最下位ビット側から２番目のビットを四捨五入して得た（ｎ−ｍ−２）ビットを再現誤差信号ＥＢとして出力しても良い。
【００５７】
ここで四捨五入を行う誤差分離器４１Ｂについて、最下位ビット側から２ビットを捨てた（ｎ−ｍ−２）ビットを再現誤差信号ＥＢとして出力する誤差分離器４１Ｂと比較しながら図６を用いて説明する。なお簡単のため、ｎ＝８、ｍ＝４の具体例を用いる。
【００５８】
図６の（ア）は四捨五入を行わない誤差分離器４１Ｂの説明図である。
【００５９】
８ビットの映像信号ＶＥＢ［７：０］が誤差分離器４１Ｂに入力され、上位側の４ビットＶＥＢ［７：４］がＢ映像信号ＶＶＢ［３：０］として出力される。下位側の４ビットＶＥＢ［３：０］から最下位側２ビットＶＥＢ［１：０］を捨てた２ビットＶＥＢ［３：２］を再現誤差信号ＥＢ［１：０］として出力する。
【００６０】
図６の（イ）は四捨五入を行う誤差分離器４１Ｂの説明図である。
【００６１】
（ア）と異なるところはＢ映像信号の下位側の４ビットＶＥＢ［３：０］から最下位側２ビットＶＥＢ［１：０］を除いた２ビットＶＥＢ［３：２］が２ビットアダー（２ビット加算器）のＡ入力ＡＩＮに接続され、グランドレベルがＢ入力ＢＩＮに接続され、最下位ビット側から２番目のビットＶＥＢ［１］がキャリー入力ＣＩ（桁上がり入力）に接続され、２ビットアダーの加算出力Ｏとキャリー出力ＣＯ（桁上がり出力）の論理和が２ビットのＢの再現誤差信号ＥＢ［１：０］として出力されている点である。
【００６２】
図６の（イ）の構成によれば、図６の（ア）の構成においては捨てていたＶＥＢ［１：０］の取り得る４つの値「０」，「１」，「２」ならびに「３」のうちＶＥＢ［１］の値が１となる「２」ならびに「３」の場合にＶＥＢ［３：２］に１が加算され、すなわち直下のビットに１が立つ場合にＶＥＢ［３：２］の値が１大きくなり四捨五入されていることがわかる。
【００６３】
なお加算出力Ｏとキャリー出力ＣＯの論理和演算は加算による桁あふれを防止するリミッターである。
【００６４】
以上のように、Ｂの再現誤差信号ＥＢのビット数がＲの再現誤差信号ＥＲのビット数より少なくかつＲの再現誤差信号ＥＲのビット数がＧの再現誤差信号ＥＧのビット数より少ないので、Ｂの画素単位遅延手段３１Ｂならびにライン単位遅延手段３２Ｂのビット数がＲの画素単位遅延手段３１Ｒならびにライン単位遅延手段３２Ｒのビット数より小さくかつＲの画素単位遅延手段３１Ｒならびにライン単位遅延手段３２Ｒのビット数がＧの画素単位遅延手段３１Ｇならびにライン単位遅延手段３２Ｇのビット数より小さいのが本実施の形態の特徴である。すなわちこれにより遅延手段の容量が更に少なくなっており材料費が更に安く抑えられる。
【００６５】
ここで、前述のように、輝度信号Ｙに対して一般的に用いられる変換式Ｙ＝０．３０ＶＲ＋０．５９ＶＧ＋０．１１ＶＢから輝度に対するＲ、Ｇ、Ｂの寄与度の比はＲ：Ｇ：Ｂ＝０．３０：０．５９：０．１１であるので、本実施の形態においては輝度に対する寄与度のより低い色に対する遅延手段のビット数をより削減しており、材料費を更に削減しつつも見た目の輝度の滑らかさを効率よく維持することが可能であることがわかる。
【００６６】
なお、上述した誤差拡散装置においては、赤色、緑色、青色の全てについて、入力された映像信号よりも少ないビット数でサブフィールド変換器に出力する例について説明したが、本願発明はこれに限定されるものではない。例えば、緑色のビット数を入力された映像信号のビット数と同じビット数のまま出力し、一方、青色及び赤色については、上述した例と同様に入力された映像信号よりも少ないビット数でサブフィールド変換器に出力する。これにより、青色と赤色については、遅延手段の容量が少なくなっておりコストを軽減することが可能になるとともに、輝度に対する寄与度の高い緑色のビット数を入力された映像信号のビット数と同じビット数のまま出力していることにより、輝度の滑らかな映像信号を出力することが可能になるものである。同様に、緑色と赤色のビット数を入力された映像信号のビット数と同じビット数のまま出力し、一方、青色については、上述した例と同様に入力された映像信号よりも少ないビット数でサブフィールド変換器に出力することも可能である。これにより、青色については、遅延手段の容量が少なくなっておりコストを軽減することが可能になるとともに、輝度に対する寄与度の高い緑色及び赤色のビット数を入力された映像信号のビット数と同じビット数のまま出力していることにより、輝度の滑らかな映像信号を出力することが可能になるものである。
【産業上の利用可能性】
【００６７】
本発明は、ＰＤＰなどの発光回数制御あるいはパルス幅制御などにより階調を表示する表示装置に好適に実施され、表示装置に表示可能なビット数を超える映像信号が入力された場合に、注目画素より過去に生じた再現誤差を加算して拡散出力信号を得て、前記拡散出力信号の下位ビットを用いて出力映像信号の輝度の滑らかな変化を得る誤差拡散装置において、遅延手段の容量を削減して材料費を削減しつつも見た目の輝度の滑らかさを効率よく維持することができる。
【図面の簡単な説明】
【００６８】
【図１】本発明の実施の形態に係わる表示装置の構成を表すブロック図
【図２】図１に示すＰＤＰ装置に適用されるＡＤＳ方式を示す図
【図３】本実施の形態に係わる誤差拡散装置の構成を示す図
【図４】本実施の形態に係わる誤差拡散装置の構成を示す図
【図５】本実施の形態に係わる誤差拡散装置の構成を示す図
【図６】本実施の形態に係わる誤差分離器の構成を示す図
【図７】従来技術のディスプレイ装置の構成を示すブロック図
【符号の説明】
【００６９】
１    誤差加算器
２１，２２，２３    乗算器
３１    画素単位遅延手段
３２    ライン単位遅延手段
３３    フィールド単位遅延手段
４１    誤差分離器
１００    誤差拡散装置
２００    サブフィールド変換器
３００    サブフィールドパルス発生器
４００    ＰＤＰ
５００    データドライバ
５０１    データ電極
６００    走査ドライバ
６０１    走査電極
７００    維持ドライバ
７０１    維持電極
【図１】
2007133206.tif 000003
【図２】
2007133206.tif 000004
【図３】
2007133206.tif 000005
【図４】
2007133206.tif 000006
【図５】
2007133206.tif 000007
【図６】
2007133206.tif 000008
【図７】
2007133206.tif 000009